(57)【要約】【課題】  日替わり情報を当初は隠した状態にしておき、毎日開いて見ることができる構造を備えたカレンダー単体、カレンダー及び製造方法を提供する。【解決手段】  ２つのシート区画(11a、11b)の各々に対し日付を含む少なくとも１か月分のカレンダー情報をそれぞれ印刷し折り筋にて二つ折りして袋状としたシート部(1)と、シート部(1)の袋内に挿入され固着されるカード部(2)とを有し、シート部(1)における日付の表示部(12)に対し切り取り部(12b)を形成すると共に、各切り取り部(12b)の位置に対応するカード部(2)の表裏各面(21)の各該当箇所に、各日替わり情報(22)が印刷されているカレンダー単体並びに、これを１年分の枚数だけ重ね合わせ、綴じ合わせたカレンダーである。【選択図】  図２
2006056212.tif 000002
【特許請求の範囲】
【請求項１】
少なくとも２か月分のカレンダー情報を印刷したカレンダー単体(3)であって複数枚を綴じ合わせて１年分のカレンダーを構成する該カレンダー単体において、
二つ折りとするための折り筋(13)を境界とする２つのシート区画(11a、11b)の各々に対し日付を含む少なくとも１か月分のカレンダー情報をそれぞれ印刷しかつ該印刷された面を外向きに該折り筋にて二つ折りして袋状に形成したシート部(1)と、
袋状に形成した前記シート部(1)の袋内に挿入されかつ該シート部と固着されるカード部(2)とを有し、
前記シート部(1)における前記日付の表示部(12)に対し切取り可能に加工された切り取り部(12b)を形成すると共に、各切り取り部(12b)の位置に対応する前記カード部(2)の表裏各面(21)の各該当箇所に、各日替わり情報(22)が印刷されていることを特徴とする
カレンダー単体。
【請求項２】
請求項１に記載のカレンダー単体(3)を、１年分の枚数だけ重ね上端を綴じ合わせたことを特徴とするカレンダー。
【請求項３】
請求項１に記載のカレンダー単体(3)の上端に沿って複数の綴じ孔(14a、14b)が設けられており、
略三角形の縦断面形状にて尾根状に延びる本体と、該本体の上端にて前記カレンダー単体の綴じ孔と同じ大きさ及び配置の綴じ孔とを具備するスタンド(5)を有し、
前記カレンダー単体(3)を、１年分の枚数だけ前記スタンド(5)とを重ね合わせ、前記カレンダー単体を一枚ずつ捲ることができるように前記綴じ孔を用いて複数の前記カレンダー単体(3)と前記スタンド(5)とを綴じ合わせたことを特徴とするカレンダー。
【請求項４】
前記スタンドが鳥居型(6)であることを特徴とする請求項３に記載のカレンダー。
【請求項５】
前記スタンド(5、6)が、平面に展開されたシートから立体形状に組立自在であることを特徴とする請求項３又は４に記載のカレンダー。
【請求項６】
請求項２に記載のカレンダーを複数製造する製造方法において、
１年分に相当する複数の前記カレンダー単体(3)にそれぞれ挿入される複数の前記カード部(2)の表裏各面の印刷内容が全て互いに相違するように、前記日替わり情報を印刷し、
１つのカレンダーの丁合工程において、各前記シート部への各前記カード部の挿入順序並びに表裏を選択して挿入することにより、１年を通じた前記日替わり情報の順序が互いに相違する複数のカレンダーを製造することを特徴とする
カレンダー製造方法。
【請求項７】
少なくとも２か月分のカレンダー情報を印刷したカレンダー単体(3)であって複数枚を綴じ合わせて１年分のカレンダーを構成する該カレンダー単体において、
二つ折りとするための折り筋(13)を境界とする２つのシート区画(11a、11b)の各々の表面側に対し日付を含む少なくとも１か月分のカレンダー情報を印刷すると共に、各々の裏面側に対し各日付に対応する各日替わり情報(19)を印刷しかつ表面側を外向きに該折り筋にて二つ折りして袋状に形成したシート部(1)を有し、
前記シート部(1)における前記日付の表示部(12)に対し切取り可能に加工された切り取り部(12b)を形成すると共に、各切り取り部(12b)の位置に対応して前記裏面側の前記各日替わり情報(19)が印刷されていることを特徴とする
カレンダー単体。
【請求項８】
請求項７に記載のカレンダー単体(3)を、１年分の枚数だけ重ね上端を綴じ合わせたことを特徴とするカレンダー。
【請求項９】
請求項７に記載のカレンダー単体(3)の上端に沿って複数の綴じ孔(14a、14b)が設けられており、
略三角形の縦断面形状にて尾根状に延びる本体と、該本体の上端にて前記カレンダー単体の綴じ孔と同じ大きさ及び配置の綴じ孔とを具備するスタンド(5)を有し、
前記カレンダー単体(3)を、１年分の枚数だけ前記スタンド(5)とを重ね合わせ、前記カレンダー単体を一枚ずつ捲ることができるように前記綴じ孔を用いて複数の前記カレンダー単体(3)と前記スタンド(5)とを綴じ合わせたことを特徴とするカレンダー。
【発明の詳細な説明】
【技術分野】
【０００１】
本発明は、月別にカレンダー情報が印刷されたカレンダーを構成するカレンダー単体及びそのカレンダー並びにその製造方法に関する。
【背景技術】
【０００２】
通常の月別カレンダーは、例えば、一枚のシートの表面に１か月分又は２か月分のカレンダー情報（月、曜日、日情報等）と任意の図柄や写真等が印刷され、１年分（１２枚又は６枚）のシートを重ね合わせて上端を綴じたものが一般的に知られている。上端の綴じ方は、ミシン目を設けて一枚ずつ切り取り可能としたものや、綴じ孔にリング状又は螺旋状の綴じ具を通すことにより一枚ずつ捲ることができるものがある。表裏両面に１か月分のカレンダー情報を印刷して１年分６枚をまとめて上端を綴じ、毎月捲って用いるものもある。また、上端にフック用の孔を設けて壁に掛けられるものや、卓上に立てるためのスタンド付きのものもある。
【０００３】
カレンダーの製造においては、印刷用原紙に複数枚のシートの図柄を面付けして印刷し、断裁した後、カレンダーとして適切なページ順となるように所定の順序で重ねる丁合作業を行い、最後に適宜の綴じ具を用いて綴じることにより完成する。丁合作業も、大量に行う場合は手作業ではなく丁合機が用いられる。特許文献１には、一般的なカレンダーの製造方法の一例が開示されている。
【特許文献１】特開２０００−６５４９号公報
【発明の開示】
【発明が解決しようとする課題】
【０００４】
本発明は、従来の単一シートにカレンダー情報のみが単純に印刷されたカレンダーではなく、種々の日替わり情報を当初は隠した状態にしておき、毎日異なる情報を開いて見ることができる構造を備えたカレンダー並びに斯かるカレンダーを構成するカレンダー単体（少なくとも２か月分のカレンダー情報を含むもの）及びカレンダー製造方法を提供することを目的とする。
【課題を解決するための手段】
【０００５】
上記の目的を達成すべく本発明は、以下の構成を提供する。
請求項１〜６に係る各発明は、第１の実施形態のカレンダー単体、これを用いたカレンダー、及びカレンダーの製造方法に関連する。
（１）請求項１に係るカレンダー単体は、少なくとも２か月分のカレンダー情報を印刷したカレンダー単体(3)であって複数枚を綴じ合わせて１年分のカレンダーを構成する該カレンダー単体において、
二つ折りとするための折り筋(13)を境界とする２つのシート区画(11a、11b)の各々に対し日付を含む少なくとも１か月分のカレンダー情報をそれぞれ印刷しかつ該印刷された面を外向きに該折り筋にて二つ折りして袋状に形成したシート部(1)と、
袋状に形成した前記シート部(1)の袋内に挿入されかつ該シート部と固着されるカード部(2)とを有し、
前記シート部(1)における前記日付の表示部(12)に対し切取り可能に加工された切り取り部(12b)を形成すると共に、各切り取り部(12b)の位置に対応する前記カード部(2)の表裏各面(21)の各該当箇所に、各日替わり情報(22)が印刷されていることを特徴とする。
【０００６】
（２）請求項２に係るカレンダーは、請求項１に記載のカレンダー単体(3)を、１年分の枚数だけ重ね上端を綴じ合わせたことを特徴とする。
【０００７】
（３）請求項３に係るカレンダーは、請求項１に記載のカレンダー単体(3)の上端に沿って複数の綴じ孔(14a、14b)が設けられており、
略三角形の縦断面形状にて尾根状に延びる本体と、該本体の上端にて前記カレンダー単体の綴じ孔と同じ大きさ及び配置の綴じ孔とを具備するスタンド(5)を有し、
前記カレンダー単体(3)を、１年分の枚数だけ前記スタンド(5)とを重ね合わせ、前記カレンダー単体を一枚ずつ捲ることができるように前記綴じ孔を用いて複数の前記カレンダー単体(3)と前記スタンド(5)とを綴じ合わせたことを特徴とする。
【０００８】
（４）請求項４に係るカレンダーは、請求項３に記載のカレンダーにおいて、前記スタンドが鳥居型(6)であることを特徴とする。
【０００９】
（５）請求項５に係るカレンダーは、請求項３又は４に記載のカレンダーにおいて、前記スタンド(5、6)が、平面に展開されたシートから組立自在であることを特徴とする。
【００１０】
（６）請求項６に係るカレンダー製造方法は、請求項２に記載のカレンダーを複数製造する製造方法において、
１年分に相当する複数の前記カレンダー単体(3)にそれぞれ挿入される複数の前記カード部(2)の表裏各面の印刷内容が全て互いに相違するように、前記日替わり情報を印刷し、
１つのカレンダーの丁合工程において、各前記シート部への各前記カード部の挿入順序並びに表裏を選択して挿入することにより、１年を通じた前記日替わり情報の順序が互いに相違する複数のカレンダーを製造することを特徴とする。
【００１１】
請求項７〜９に係る各発明は、第２の実施形態のカレンダー単体及びこれを用いたカレンダーに関連する。
（７）請求項７に係る少なくとも２か月分のカレンダー情報を印刷したカレンダー単体(3)であって複数枚を綴じ合わせて１年分のカレンダーを構成する該カレンダー単体において、
二つ折りとするための折り筋(13)を境界とする２つのシート区画(11a、11b)の各々の表面側に対し日付を含む少なくとも１か月分のカレンダー情報を印刷すると共に、各々の裏面側に対し各日付に対応する各日替わり情報(19)を印刷しかつ表面側を外向きに該折り筋にて二つ折りして袋状に形成したシート部(1)を有し、
前記シート部(1)における前記日付の表示部(12)に対し切取り可能に加工された切り取り部(12b)を形成すると共に、各切り取り部(12b)の位置に対応して前記裏面側の前記各日替わり情報(19)が印刷されていることを特徴とする
カレンダー単体。
【００１２】
（８）請求項８に係るカレンダーは、請求項７に記載のカレンダー単体(3)を、１年分の枚数だけ重ね上端を綴じ合わせたことを特徴とする。
【００１３】
（９）請求項９に係るカレンダーは、請求項７に記載のカレンダー単体(3)の上端に沿って複数の綴じ孔(14a、14b)が設けられており、
略三角形の縦断面形状にて尾根状に延びる本体と、該本体の上端にて前記カレンダー単体の綴じ孔と同じ大きさ及び配置の綴じ孔とを具備するスタンド(5)を有し、
前記カレンダー単体(3)を、１年分の枚数だけ前記スタンド(5)とを重ね合わせ、前記カレンダー単体を一枚ずつ捲ることができるように前記綴じ孔を用いて複数の前記カレンダー単体(3)と前記スタンド(5)とを綴じ合わせたことを特徴とする。
【発明の効果】
【００１４】
請求項１に係るカレンダー単体は、第１の実施形態であり、日付を含むカレンダー情報を印刷したシート部を二つ折りにした袋内に、日替わり情報を印刷したカード部を挿入して固着した形態であって、シート部の日付表示部には切り取り部が形成され、切り取り部の位置とカード部の表裏各面の日替わり情報の位置とが対応している。これにより、切り取り部をシート部から切り取ることにより、シート部に空いた窓を通してカード部の日替わり情報を見ることができるようになる。
【００１５】
日替わり情報の内容は、例えば、占い、予想(競馬、宝くじ)ゲーム、パチンコ、料理法等、多様に選択できる。日付欄に日替わり情報が直接印刷されたカレンダーは従来からあるが、本発明のカレンダー単体は、カレンダー使用開始時には日替わり情報が隠されており、切り取り部を取り除くことにより初めて日替わり情報を見ることができる。従って、使用者は、毎日楽しみをもってカレンダーの日替わり情報を利用することができる。また、使用開始するまでは日替わり情報を見ることができないので、当選付きゲームにも適用することができる。請求項１に記載の、日替わり情報を印刷したカード部を挿入するカレンダー単体の形態は、一年分のカレンダーを通してみた場合に日替わり情報の出現順序を変更することが望ましい用途に適している。
【００１６】
請求項２〜５に係るカレンダーは、請求項１に係るカレンダー単体を、１年分の必要枚数だけ重ねて綴じ合わせることによりカレンダーを構成でき、壁掛け型にも、スタンドを用いた卓上型にもすることができる。スタンドを鳥居型とすると、日替わり情報をおみくじ占いとした場合に雰囲気的に適合して好ましい。また、平面に展開したシートから立体形状のスタンドを組立自在とすることにより、スタンドとカレンダーを一緒に箱詰めした形態とすることが容易にでき、販売や贈答に好適である。
【００１７】
請求項６に係るカレンダー製造方法では、１年分の複数のカード部の表裏両面の全てが互いに異なるように日替わり情報を印刷しておき、これら１年分の複数のカード部を１年分の複数のシート部に対し挿入する丁合工程において、各カード部の各シート部への挿入順序及び表裏の組合せを変える。これにより、１年を通じた前記日替わり情報の出現順序が互いに相違する複数のカレンダーを製造することができる。このように丁合工程を利用することにより、印刷工程を変えることなく、同時に製造される複数のカレンダーに対しバリエーションを付与することができる。
【００１８】
請求項７に係る発明のカレンダー単体は、第２の実施形態であり、上記第１の実施形態における日替わり情報を印刷したカード部を挿入する替わりに、シート部の裏面側に日替わり情報を印刷する。二つ折りにして袋状とした状態で、表面側の日付表示部の切り取り部と、裏面側の日替わり情報の位置とが対応している。従って、請求項１と同様に、切り取り部を切り取ることにより、シート部に空いた窓を通して日替わり情報を見ることができる。請求項７の、シート部裏面側に日替わり情報を印刷する形態は、日替わり情報の出現順序を変更する必要のない用途に適しており、材料及び工程のコストを低減できる。請求項８及び９に係るカレンダーは、請求項７に係るカレンダー単体を、１年分の必要枚数だけ重ねて綴じ合わせたものである。壁掛け型にも、スタンドを用いた卓上型にもすることができる。
【発明を実施するための最良の形態】
【００１９】
以下、実施例を示した図面を参照しつつ本発明の実施の形態を説明する。
図１は、本発明の第１の実施形態である、カレンダーを構成するカレンダー単体の構造を概略的かつ模式的に示す図である。図１(ａ)は、カレンダー単体を形成するシート部１の、折り曲げ加工前の斜視図であり、図１(ｂ)は、カレンダー単体の内部に挿入されるカード部２の斜視図であり、図１(ｃ)は、カレンダー単体３を形成するために二つ折りにしたシート部１にカード部２を挿入した状態を示す斜視図である。
【００２０】
図１(ｃ)に示すカレンダー単体３は、実際には、カード部２を挿入した後に両側面を閉じて１枚のシート状とする。カレンダー単体３の表裏両面には、少なくとも１か月分のカレンダー情報が印刷されている。従って、カレンダー単体３には少なくとも２か月分のカレンダー情報が印刷されている。カレンダー単体３の表裏両面は、図１(ａ)に示すシート部１を、中央の折り筋１３で二つ折りにすることにより形成される（図１(ｃ)の矢印Ｓ１参照）。図示の例では、シート部１の折り筋１３を境界とする上下２つのシート区画１１ａ、１１ｂの各々に対し、１か月分のカレンダー情報が印刷されている。カレンダー情報は、少なくとも日付を表す数字を含み、通常、月名及び曜日も当然に標示されている。
【００２１】
シート部１は、カレンダー情報を印刷した面を外向きに二つ折りして袋状とされるため、図１(ａ)に示す通り、各シート区画１１ａ、１１ｂのカレンダー情報は、互いに上下逆向きに印刷されている。図示の例では、上側のシート区画１１ａに一月のカレンダー情報が、下側のシート区画１１ｂに二月のカレンダー情報が印刷されている。シート区画１１ａでは、毎日の日付数字を印刷した各日付表示部１２の上側に曜日表示部１５が配置され、さらにその上側の上部余白部１６に、月名が配置されている。上部余白部１６の上端に沿って、複数の綴じ孔１４ａが穿設されている。上部余白部１６を図示の例よりも大きくとって図柄や写真等を配置してもよい。シート区画１１ｂは、全く上下逆の配置となり、複数の綴じ孔１４ｂは下端に沿って穿設されている。綴じ孔１４ａと１４ｂは、二つ折りにした際に一致する位置に設けられている。本発明の特徴の一つは、各日付表示部１２に切り取り可能な切り取り部１２ｂがそれぞれ形成されていることであるが、これについては後述する図２において詳述する。
【００２２】
図１の実施例では、各シート区画１１ａ、１１ｂにそれぞれ１か月分のカレンダー情報が印刷され、従ってカレンダー単体３には２か月分のカレンダー情報が印刷されるため、６枚のカレンダー単体３を綴じ合わせることにより１年分のカレンダーを完成することができる。以下、図１に示す最も一般的な実施例を用いて本発明のカレンダー単体を説明するが、原理的には、シート区画１１ａ、１１ｂのそれぞれに対して２か月分、４か月分、６か月分のカレンダー情報を印刷しても、本発明を実施可能である。例えば、シート区画１１ａに一月と二月のカレンダー情報を印刷し、シート区画１１ｂに三月と四月のカレンダー情報を印刷したカレンダー単体３を３枚綴じ合わせれば１年分のカレンダーを完成できる。このように、シート部１に何か月分のカレンダー情報を印刷するかによって、１年分のカレンダーを完成するために必要なカレンダー単体の枚数が異なる。
【００２３】
図１(ｂ)に示すカード部２は、二つ折りして袋状に形成されたシート部１の袋内に１枚だけ挿入され、シート部１と固着される。カード部２は、表裏各面に印刷面２１を有し、各面上に複数の日替わり情報２２が印刷されている。すなわち、カード部２は予め両面印刷されている。複数の日替わり情報２２の各々の印刷位置は、カード部２がシート部１に挿入されて固着されたときにシート部１の各日付表示部１２の各切り取り部１２ｂに対応する位置である。日替わり情報２２の内容は、例えば、占い、予想(競馬、宝くじ)ゲーム、パチンコ、料理法等、任意にかつ多様に選択できる。
【００２４】
図２(ａ)は、図１(ｃ)に示したカレンダー単体３を閉じた後の右上隅の部分のみを示す部分切り欠き拡大図である。図２(ａ)には、カレンダー単体３の縦断面が現れている。二つ折りされたシート部１のシート区画１１ａがカレンダー単体３の表面シートとなり、シート区画１１ｂが裏面シートとなる。シート区画１１ａと１１ｂの間にカード部２が挿入されている。シート部１の各日付表示部１２には、印刷面１２ａ上に日付数字１２ｅが印刷されると共に、切り取り部１２ｂが形成される。シート部１から切り取り部１２ｂを手で取り除くことができるように、切り取り形状に沿って切込線１２ｃ又はミシン目１２ｄを設ける加工がされている。切り取り部１２ｂの形状は特に限定しないが、容易に切り取れるように手で摘み易い部分を縁部に設けることが好ましい。切り取り部１２ｂを取り除いた後には、シート部１に窓１２ｈが形成される。各切り取り部１２ｂの位置には、カード部２に印刷された各日替わり情報２２の位置が対応している。従って、窓１２ｈを通して日替わり情報２２を見ることができるようになる。
【００２５】
図２(ｂ)は、切り取り部１２ｂの一実施例を示す。任意であるが、切り取り部１２ｂの表面に適宜の図柄１２ｆを印刷してもよい。表面図柄１２ｆには、文字、記号、図形、写真等の全てを含む。切り取り部１２ｂの表面図柄１２ｆを、その下に位置する日替わり情報２２の内容と関連付けてもよい。例えば、表面図柄１２ｆを「料理名」とし、日替わり情報２２をその「料理方法」とする、等である。また、切り取り部１２ｂの裏面に適宜の図柄１２ｇを印刷してもよい。この場合、シート部１に対して予め両面印刷しておくことになる。例えば、裏面図柄１２ｇを、メモ欄に使用できる罫線とした場合は、切り取り部１２ｂを切り取り日替わり情報２２を確認した後に、切り取り部１２ｂを裏返して窓１２ｈに接着テープ等で貼り付けてメモとして使用できる。
【００２６】
図３は、図１に示したカレンダー単体３の製造工程の一実施例を概略的に示した図である。図３(ａ)は、シート部１の加工工程を示す。シート部１の裏面が現れている。シート部１は、先ず、印刷用原紙に複数のシート部１の面付けをして表面にカレンダー情報を印刷する印刷工程を行った後に、１枚ずつのシート部１に断裁する。印刷工程においては、必要に応じて裏面にも切り取り部１２ｂの裏面図柄等を印刷する。断裁されたシート部１に対して、切り取り部１２ｂの形状に沿って切込線及び／又はミシン目を形成する。切り取り部１２ｂは、シート部１の表面の日付表示部のうち日付数字が印刷された部分にのみ形成する。例えば、月の第一週及び最後の週において日付数字が空欄の場合（例えば、１日が先頭の曜日から始まらない場合や、月末日が後尾の曜日に終わらない場合）には、切り取り部１２ｂは形成しない。このような加工は、切込線等を設けるカッター装置を制御することにより実施できる。また、適宜の穿孔装置を用いて綴じ孔１４ａ、１４ｂを所定の位置に穿設し、折り筋１３も形成する。
【００２７】
さらに、シート区画１１ａ、１１ｂ裏面の両側縁部に、貼着部１７を設ける。貼着部１７は、例えば、接着剤を塗布するか、あるいは両面テープを貼付することで形成できる。貼着部１７は、カード部２を固着する役割と、二つ折りにしたシート区画１１ａと１１ｂを互いに貼り合わせる役割をもつ。貼着部１７の幅及び長さは適宜であるが、シート部１の切り取り部１２ｂ並びにカード部２の日替わり情報２２と重ならない位置に設ける。
【００２８】
図３(ｂ)は、カード部２の挿入工程を示す。カード部２も、シート部１と同様に印刷用原紙に複数のカード部２を面付けして両面印刷した後、１枚ずつのカード部２に断裁する。断裁された１枚のカード部２を、シート部１のシート区画１１ａの裏面の所定位置に置く。このとき、カード部２の両側縁部が貼着部１７の一部と重なるようにすることでカード部２をシート部１と固着する。
【００２９】
図３(ｃ)は、シート区画１１ｂを、シート区画１１ａと重なるように折り筋１３で折り返した後の状態を示す。貼着部１７により、シート区画１１ａと１１ｂの両側縁部が互いに接合する。こうして、カレンダー単体３が完成する。
【００３０】
図４は、複数のカレンダー単体から構成されるカレンダー４の実施例を示す。図４(ａ)及び図４(ｂ)は、１年分に相当する枚数だけカレンダー単体を重ねる状態を示す図である。図４(ａ)は正面側から観た図であり、図４(ｂ)は背面側から見た図である。この実施例のカレンダー単体は、１枚（表と裏）に２か月分のカレンダー情報が印刷されているので、６枚が１年分となる。一二月用カレンダー単体３−１、三四月用カレンダー単体３−２、五六月用カレンダー単体３−３、七八月用カレンダー単体３−４、九十月用カレンダー単体３−５、及び十一十二月用カレンダー単体３−６が重ねられる。図４(ｃ)は、完成したカレンダー４の斜視図である。図示の例では、重ねた６枚のカレンダー単体の上端の各綴じ孔１４ａ、１４ｂに綴じリング４１を通して全体を綴じ合わせている。これにより、カレンダー単体を１枚ずつ捲ることができる。このカレンダー４は、壁に掛けて使用できる。
【００３１】
図５は、図４に示したカレンダーの変形例であり、卓上用である。図４(ａ)のように重ねた１年分の枚数のカレンダー単体３を、スタンド５と共に綴じ合わせて完成する。スタンド５は、略三角形の縦断面形状をもち、カレンダー４の幅方向に沿って尾根状に延びる本体からなる。スタンド５の本体の上端に沿って、カレンダー単体３の綴じ孔１４ａ、１４ｂと同じ大きさ及び配置の綴じ孔（図５では現れていない）が穿設されている。１年分のカレンダー単体３とスタンド５とを重ね合わせ、両者の綴じ孔に綴じリング４１を通すことにより複数のカレンダー単体３とスタンド５とを綴じ合わせる。
【００３２】
図６は、図５に示した卓上用カレンダーの変形例である。スタンド形状を鳥居型とした鳥居型スタンド６である。カレンダー４との綴じ合わせ方法は図５に示した実施例を同様である。カレンダー４の日替わり情報がおみくじ占いの場合に鳥居型と適合する。このように、日替わり情報の内容に応じてスタンドのデザインを自由に設定してよい。
【００３３】
図５及び図６に示したスタンド５及び鳥居型スタンド６は、平面に展開された紙等のシートを適宜折り込むことにより立体形状に組み立てる形態としてもよい。平面に展開された紙の所定位置に切り欠き、切り込み及び折り筋を加工しておくことにより、実施できる。逆に、立体に組み立てたスタンドを分解して平面に展開することもできる。このような形態の場合、カレンダー４と、平面に展開されたシート状態のスタンド５、６と、綴じリング４１等の適宜の綴じ具とをセットにして箱詰めし易く、販売や贈答に好適である。
【００３４】
図７は、本発明のカレンダーの製造工程の一部であるカード部２の丁合工程の一例を説明する図である。通常、カレンダー製造における１ロットのカレンダーの数は、数十〜数万単位と様々であるが、量産品であることには違いない。従って、１ロットの中では全く同じものを製造することが通例である。ここで、本発明によるカレンダーは、日付表示部に設けた切り取り部を毎日切り取ることにより、毎日異なる内容の日替わり情報を見ることができることを特徴とする。例えば、日替わり情報が占いである場合、１ロット内の全てのカレンダーの同月同日の占い内容が全く同じでは、占いとしての価値が半減すると考えられる場合もある。占いの場合のように、同じロット内であっても日替わり情報の内容が個々のカレンダー毎に相違していればさらに高価値と評価されることがある。
【００３５】
ここでいう「個々のカレンダー毎に相違」とは、例えば、２つのカレンダーを取り上げて比較した場合に、占いの内容自体は同じものがあるとしても、１年間を通じて観た場合にそれらの出現する月日すなわち出現する順序が異なることをいうものとする。現実的に、量産される個々のカレンダーの日替わり情報の内容を、印刷内容を変えることで全て相違させることは不可能である。本発明では、カレンダー単体のシート部にカード部を挿入する丁合工程を工夫することにより、日替わり情報の出願順序を、１ロット内の個々のカレンダー毎に相違させることを実現する。
【００３６】
図７では、カレンダー単体に２か月分のカレンダー情報が印刷され、１年分で６枚のカレンダー単体を用いる場合を例としている。先ず、カード部として、６種６枚のカードＡ、Ｂ、Ｃ、Ｄ、Ｅ及びＦを準備する。これら６枚のカードは、各々の表裏両面に日替わり情報が印刷されている。かつ、全ての面（すなわち１２面）のうちいずれの２つの面をとっても、印刷された日替わり情報の内容が全く同じものはないとする。つまり、１２個の全ての面が互いに相違している。このような６種６枚のカードを１セットとする。
【００３７】
丁合工程においては、これら６種６枚のカードを、カレンダー１年分のカード部２−１、２−２、２−３、２−４、２−５及び２−６として、６枚のシート部１−１、１−２、１−３、１−４、１−５及び１−６にそれぞれ挿入する。この挿入の際に、６種６枚のカードの順序を変えることによって完成したカレンダーにおける日替わり情報の出現順序が変わる。また、カードの順序を変えなくとも１枚のカードの表裏を逆にしただけでも、日替わり情報の出願順序が変わる。原理的には、このような挿入方法の組合せは、６種６枚のカードの順列が６Ｐ６通り、各カードの表裏選択が２６通りであるから、６Ｐ６×２６（４６０８０）通りある。
【００３８】
しかしながら、丁合工程を手作業で行う場合のカード並べ替え作業の負担を考慮すると、全ての順列パターンを採用することは現実的ではない。また６種６枚のカードの順列のうち日替わり情報の出現順序の変化が大きくなるような順列のみを採用することが望ましい。従って、好適例では、例えば、６種６枚のカードの順列のうち「ＡＢＣＤＥＦ」、「ＢＣＤＥＦＡ」、「ＣＤＥＦＡＢ」、「ＤＥＦＡＢＣ」、「ＥＦＡＢＣＤ」及び「ＦＡＢＣＤＥＦ」の６通りの循環順列と、各カードの表裏選択の２６通りとを組合せることにより、６×２６通り（３８４通り）の互いに相違するカレンダーを製造できる。さらに、「ＦＥＤＣＢＡ」、「ＥＤＣＢＡＦ」、「ＤＣＢＡＦＥ」、「ＣＢＡＦＥＤ」、「ＢＡＦＥＤＣ」及び「ＡＦＥＤＣＢ」の６通りの逆の循環順列と、各カードの表裏選択の２６通りとを組み合わせることにより、６×２６通りの互いに相違するカレンダーを加えると、３８４＋３８４＝７６８通りの互いに相違するカレンダーを製造することができる。
【００３９】
上記の例のように、「ＡＢＣＤＥＦ」の順に並べた６枚のカード、及びこれを逆に並べた「ＦＥＤＣＢＡ」の６枚のカードを、１つずつずらして循環させることにより、それぞれ６通り合計１２通りの順列の数が得られ、この順列の数と各カードの表裏選択の２６通りを組み合わせると、７６８通りの順列の数が得られる。これを１パターンとカウントする。同様に、ＡとＢを入れ替えて「ＢＡＣＤＥＦ」の順に並べた６枚のカード、及びこれを逆に並べた「ＦＥＤＣＡＢ」の６枚のカードについても７６８通りの順列の数が得られることになる。これを１つの入れ替えパターンとカウントする。このように１つの入れ替えパターン当たり７６８通りの順列の数が得られることになる。従って、製造するロット数に合わせて、６枚のカードの入れ替えパターンの数を増減することにより、６種６枚のカードの挿入方法を変化させることができ、同じロット内の個々のカレンダーの日替わり情報の出現順序を互いに相違させることができる。
【００４０】
図７の例では、丁合工程において６種６枚の１２面１セットのカードの挿入方法を変えて個々のカレンダーの日替わり情報の出現順序を互いに相違させることができた。別の方法として、丁合工程ではなく、印刷工程を利用して日替わり情報の出現順序を変化させることもできる。図８は、印刷用原紙７に６種６枚のカードを面付けする方法を模式的に示した図である。例えば、１枚のカードがほぼＡ５版の大きさの場合、菊版の印刷用原紙１枚に対して８枚のカードを面付けすることができる。図８には、３枚の印刷用原紙７を横に並べて示している。図８で示した６種６枚のカード１セットは、最も左側の印刷用原紙７の左側６枚（１Ａ〜１Ｆ）として面付けされている。さらに、別の６種６枚のカードからなる２セット目（２Ａ〜２Ｆ）、３セット目(３Ａ〜３Ｆ)及び４セット目(４Ａ〜４Ｆ)が順次面付けされている。それぞれが６種６枚のカードからなる４つのセットは、表裏合計で１２×４＝４８面を含むが、いずれの２つの面を比較しても同じものがなく、印刷される日替わり情報が互いに相違している。このように多種類の日替わり情報を印刷するには、印刷を行うコピー機を制御する面付けソフトウェアを利用することが好適である。
【００４１】
再び図１(ｂ)を参照すると、通常、カード部２の１つの面には５段７列の日替わり情報が印刷されている。「段」に着目すると、１年分６枚のカードの表裏合わせて５×１２＝６０の段がある。面付けソフトウェアでは、この段を任意の段数ずらすことも容易に行える。１段だけずらした場合でも、各面に印刷される日替わり情報は異なってくる。もちろん「列」方向にずらすこともできる。ずらすのみでなく、無作為に入れ替えてもよい。これにより、内容の相違する６種６枚の別のセットを容易に印刷することができる。
【００４２】
図８に示した４つのセットの各セットに対して、図７に示した丁合工程における挿入パターンを適用すると、１パターンにつき７６８×４＝３０７２通りの互いに相違するカレンダーを作製できる。入れ替えパターンを増やして全部で３パターンとすると、７６８×３×４＝９２１６通りの互いに相違するカレンダーを作製できる。別の例として、印刷工程で８セット、丁合工程で２パターンとした場合は、７６８×２×８＝１２２８８通りの互いに相違するカレンダーを作製できる。このように、１ロット数が１００００を超える場合にも対応することができる。
【００４３】
図９は、本発明の第２の実施形態である、カレンダーを構成するカレンダー単体の構造を概略的かつ模式的に示す図である。尚、第１の実施形態と同じ構成要素については同じ符号で示している。図９(ａ)は、カレンダー単体を形成するシート部１の折り曲げ加工前の表面側の斜視図であり、図９(ｂ)は、図９(ａ)のシート部１の裏面側の斜視図であり、図９(ｃ)は、カレンダー単体３を形成するためにシート部１を二つ折りにした状態を示す斜視図である。図９(ｃ)に示すカレンダー単体３は、実際には、側面を閉じて１枚のシート状とする。
【００４４】
第２の実施形態では、第１の実施形態におけるカード部がなくシート部１のみからカレンダー単体３が形成される。シート部１の表面側には、第１の実施形態と同様に、二つ折りとするための折り筋１３を境界とする２つのシート区画１１ａ、１１ｂの各々に対し日付を含む少なくとも１か月分のカレンダー情報が印刷されている。そして、シート部１の裏面側には、図９(ｂ)に示す通り、日付表示部１２に対応する位置に日替わり情報１９が印刷されている。ここで、シート区画１１ａの表面側の各日付表示部１２に対応する各日替わり情報１９は、シート区画１１ｂの裏面側に印刷され、一方、シート区画１１ｂの表面側の各日付表示部１２に対応する各日替わり情報１９は、シート区画１１ａの裏面側に印刷される。
【００４５】
図９(ｃ)のように、表面側を外向きにして折り筋１３で二つ折りにし、両側面を閉じることによりカレンダー単体３を完成する。第２の実施形態のカレンダー単体３の外観は、第１の実施形態と同じである。
【００４６】
図１０は、図９(ｃ)に示したカレンダー単体３を閉じた後の右上隅の部分のみを示す部分切り欠き拡大図である。図１０には、カレンダー単体３の縦断面が現れている。二つ折りされたシート部１のシート区画１１ａがカレンダー単体３の表面シートとなり、シート区画１１ｂが裏面シートとなる。シート部１の各日付表示部１２には、印刷面１２ａ上に日付数字１２ｅが印刷されると共に、切り取り部１２ｂが形成される。シート部１から切り取り部１２ｂを手で取り除くことができるように、切り取り形状に沿って切込線１２ｃ又はミシン目１２ｄを設ける加工がされている。切り取り部１２ｂの形状は特に限定しないが、容易に切り取れるように手で摘み易い部分を縁部に設けることが好ましい。切り取り部１２ｂを取り除いた後には、シート部１に窓１２ｈが形成される。シート区画１１ａの各切り取り部１２ｂの位置には、シート区画１１ｂの裏面側に印刷された各日替わり情報１９の位置が対応している。従って、シート区画１１ａに形成された窓１２ｈを通してシート区画１１ｂの裏面側の日替わり情報１９を見ることができるようになる。
【００４７】
図９及び図１０に示したカレンダー単体３を、一年分に必要な枚数だけ綴じることによりカレンダーを完成することができる。カレンダーは、壁掛け型にもスタンド型にもできる。このようなカレンダーの実施例については、上記の第１の実施形態と同じである。第２の実施形態のカレンダー単体３では、カレンダーを量産した場合に全て同じものが製造される。すなわち、第２の実施形態は、一年を通した日替わり情報１９の出現順序を個々のカレンダー毎に変える必要のない用途に適している。例えば、切り取り部１２ｂの表面に料理法を印刷し、日替わり情報１９としてその料理の写真を表示したり、あるいは切り取り部１２ｂの表面にクイズの問いを印刷し、日替わり情報１９としてその答えを表示したり、その他種々のゲーム等を表示したりする。
【図面の簡単な説明】
【００４８】
【図１】本発明の第１の実施形態による、カレンダーを構成するカレンダー単体の構造を概略的かつ模式的に示す図である。(ａ)は、カレンダー単体の表裏各面を形成するシート部の斜視図であり、(ｂ)は、カレンダー単体の内部に挿入されるカード部の斜視図であり、(ｃ)は、カレンダー単体を形成するためにシート部にカード部を挿入した状態を示す斜視図である。
【図２】図１(ｃ)に示したカレンダー単体を閉じた後の右上隅の部分のみを示す部分切り欠き拡大図である。(ａ)には、カレンダー単体の縦断面が現れている。(ｂ)は切り取り部の一実施例を示す。
【図３】図１に示したカレンダー単体の製造工程の一実施例を概略的に示した図である。(ａ)は、シート部の加工工程を示す。シート部の裏面が現れている。(ｂ)は、カード部の挿入工程を示す。(ｃ)は、２つのシート区画同士を重なるように折り筋で折り返した後の状態を示す。
【図４】複数のカレンダー単体から構成されるカレンダーの実施例を示す。(ａ)及び(ｂ)は、１年分に相当する枚数だけカレンダー単体を重ねる状態を示す図である。(ｃ)は、完成したカレンダーの斜視図である。
【図５】図４に示したカレンダーの変形例であり、卓上用である。
【図６】図５に示した卓上用カレンダーの変形例である。
【図７】本発明のカレンダーの製造工程の一部であるカード部の丁合工程の一例を説明する図である。
【図８】印刷用原紙に６種６枚のカードを面付けする方法を模式的に示した図である。
【図９】本発明の第２の実施形態である、カレンダーを構成するカレンダー単体の構造を概略的かつ模式的に示す図である。(ａ)は、カレンダー単体を形成するシート部の折り曲げ加工前の表面側の斜視図であり、(ｂ)は(ａ)のシート部の裏面側の斜視図であり、(ｃ)は、カレンダー単体を形成するためにシート部を二つ折りにした状態を示す斜視図である。
【図１０】図９(ｃ)に示したカレンダー単体を閉じた後の右上隅の部分のみを示す部分切り欠き拡大図である。
【符号の説明】
【００４９】
１  シート部
１１ａ、１１ｂ  シート区画
１２  日付表示部
１２ａ  日付印刷面
１２ｂ  切り取り部
１２ｄ  切込線
１２ｄ  ミシン目
１２ｅ  日付
１２ｆ  切り取り部表面図柄
１２ｇ  切り取り部裏面図柄
１２ｈ  窓
１３  折り筋
１４ａ、１４ｂ  綴じ孔
１５  曜日表示部
１６  上部余白部
１７  貼着部
１９  日替わり情報
２  カード部
２−１、２−２、２−３、２−４、２−５、２−６  １年分のカード部
２１  カード面
２２  日替わり情報
３  カレンダー単体
３−１、３−２、３−３、３−４、３−５、３−６  １年分のカレンダー単体
４  カレンダー
４１  綴じリング
５  スタンド
６  鳥居型スタンド
７  印刷用原紙
【図１】
2006056212.tif 000003
【図２】
2006056212.tif 000004
【図３】
2006056212.tif 000005
【図４】
2006056212.tif 000006
【図５】
2006056212.tif 000007
【図６】
2006056212.tif 000008
【図７】
2006056212.tif 000009
【図８】
2006056212.tif 000010
【図９】
2006056212.tif 000011
【図１０】
2006056212.tif 000012